(57)【特許請求の範囲】
【請求項１】
壁に取り付けられた混合栓本体を有するとともに、混合栓本体直上に広範囲対応型シャワを備えた湯水混合栓において、
前記広範囲対応型シャワは、吐出部を複数有するシャワ本体と、このシャワ本体をスライド自在に保持し、上下方向にのびる中空の柱体と、この柱体の内部に収容され、混合栓本体内で混合された湯水を前記吐出部に供給する供給流路とを備えており、
さらに、前記柱体は、円柱形状をなし、前記柱体の上端部には、前記柱体を壁に取り付けるための取付部が設けられ、前記柱体の下端部には、混合栓本体の上面または前記壁に取り付けるための取付部が設けられる一方、
これら取付部のうち前記柱体の前記上端部に設けた取付部は、左右方向にのびる棒状の円柱形本体を壁面とは間隔をおいて有するとともに、この円柱形本体の長手方向における中間で前記円柱形本体の前面側に前記上端部が位置するよう構成され、さらに、前記円柱形本体の両端にはそれぞれ取り付け用の吸盤が設けられており、
また、前記下端部に設けた取付部は、前記下端部に対して、左右方向の軸心まわりに回動可能に一端が取り付けられた本体と、この本体の他端に設けられた吸盤とを含み、
この吸盤を、下方に向けて前記混合栓本体の上面に固定するか、または、背面側に向けて前記壁に固定するよう構成されていることを特徴とする広範囲対応型シャワを備えた湯水混合栓。
【請求項２】
前記供給流路とこの供給流路に湯水を供給する供給源との間に切換機構が設けられているとともに、この切換機構にノーマルタイプのシャワが接続されており、前記切換機構を操作することにより、前記供給源に対して前記供給流路が連通する状態とノーマルタイプのシャワが連通する状態とに切り換わるようにしてある請求項１に記載の広範囲対応型シャワを備えた湯水混合栓。
【請求項３】
前記複数の吐出部のうち湯水の吐出を行わせる吐出部を指定する手段を設けた請求項１または２に記載の広範囲対応型シャワを備えた湯水混合栓。
【発明の詳細な説明】
【０００１】
【発明の属する技術分野】
本発明は、湯水を吐出するための吐出部を広範囲に有する広範囲対応型シャワを備えた湯水混合栓に関する。
【０００２】
【従来の技術】
従来の広範囲対応型シャワとして、吐出部を複数有するシャワ本体を備えたものがある。
【０００３】
【発明が解決しようとする課題】
しかし、上記従来の広範囲対応型シャワでは、前記シャワ本体の高さを変更できず、使用性の面で問題があった。
【０００４】
本発明は上述の事柄に留意してなされたもので、その目的は、使用性の面で向上を図ることができる広範囲対応型シャワを備えた湯水混合栓を提供することである。
【０００５】
【課題を解決するための手段】
上記目的を達成するために、本発明の広範囲対応型シャワを備えた湯水混合栓は、壁に取り付けられた混合栓本体を有するとともに、混合栓本体直上に広範囲対応型シャワを備えた湯水混合栓において、
前記広範囲対応型シャワは、吐出部を複数有するシャワ本体と、このシャワ本体をスライド自在に保持し、上下方向にのびる中空の柱体と、この柱体の内部に収容され、混合栓本体内で混合された湯水を前記吐出部に供給する供給流路とを備えており、
さらに、前記柱体は、円柱形状をなし、前記柱体の上端部には、前記柱体を壁に取り付けるための取付部が設けられ、前記柱体の下端部には、混合栓本体の上面または前記壁に取り付けるための取付部が設けられる一方、
これら取付部のうち前記柱体の前記上端部に設けた取付部は、左右方向にのびる棒状の円柱形本体を壁面とは間隔をおいて有するとともに、この円柱形本体の長手方向における中間で前記円柱形本体の前面側に前記上端部が位置するよう構成され、さらに、前記円柱形本体の両端にはそれぞれ取り付け用の吸盤が設けられており、
また、前記下端部に設けた取付部は、前記下端部に対して、左右方向の軸心まわりに回動可能に一端が取り付けられた本体と、この本体の他端に設けられた吸盤とを含み、
この吸盤を、下方に向けて前記混合栓本体の上面に固定するか、または、背面側に向けて前記壁に固定するよう構成されていることを特徴としている（請求項１）。
【０００６】
上記の構成により、使用性の面で向上を図ることができる広範囲対応型シャワを備えた湯水混合栓を提供することが可能となる。
【０００７】
また、前記供給流路とこの供給流路に湯水を供給する供給源との間に切換機構が設けられているとともに、この切換機構にノーマルタイプのシャワが接続されており、前記切換機構を操作することにより、前記供給源に対して前記供給流路が連通する状態とノーマルタイプのシャワが連通する状態とに切り換わるようにしてあるとしてもよい（請求項２）。この場合には、シャワ本体から湯水を吐出させての全身浴と、前記ノーマルタイプのシャワから湯水を吐出させての通常の使用との使い分け・切り換えを簡単に行うことができ、使用性の面でさらに向上を図ることが可能となる。
【０００８】
さらに、前記複数の吐出部のうち湯水の吐出を行わせる吐出部を指定する手段を設けたとしてもよい（請求項３）。この場合には、前記シャワ本体からの湯水の吐出状態にバリエーションをもたせることができ、より使用性の面で向上を図ることが可能となる。
【０００９】
【発明の実施の形態】
以下、この発明の実施例を、図を参照しながら説明する。
図１，図２および図３は、本発明の一実施例に係る広範囲対応型シャワＤを備えた湯水混合栓の構成を概略的に示す斜視図，説明図および部分透視正面図である。
広範囲対応型シャワＤは、吐出部１を複数有するシャワ本体２と、このシャワ本体２をスライド自在に保持し、上下方向にのびる中空の柱体３と、この柱体３の内部に収容され、前記吐出部１，１…に湯水を供給する供給流路４とを備えている。
【００１０】
また、前記広範囲対応型シャワＤは、前記供給流路４とこの供給流路４に湯水を供給する供給源５との間に切換機構６を有するとともに、この切換機構６にノーマルタイプのシャワ７が接続されており、前記供給源５に対して前記供給流路４が連通する状態とノーマルタイプのシャワ７が連通する状態とに切り換わるようにしてある。
【００１１】
前記吐出部１は、湯水を吐出するための吐出孔ｈを多数有しており、正面視がほぼ円形状となっている。なお、本実施例では、シャワ本体２の前面に６つの吐出部１，１…が設けられている。
【００１２】
前記シャワ本体２は、前記複数の吐出部１，１…のうち湯水の吐出を行わせる吐出部１，１…を指定する指定手段８を有している。この指定手段８は、前記供給流路４からの湯水が導入される導入部９と、この導入部９に上流側が接続されるとともに、下流側が分岐し、各分岐流路の先端に前記吐出部１が接続される複数の吐出用流路１０，１０…とを備えている。
【００１３】
そして、前記導入部９には、前記供給流路４からの湯水を、全ての吐出用流路１０，１０…へと導出する状態と、全てではなく所定の吐出用流路１０，１０…のみへと導出する状態とに切り換えるための弁機構（図示せず）が設けられており、この弁機構を上記のように切り換え操作するためのレバー１１が前記シャワ本体２の外部に設けられている。
【００１４】
なお、本実施例では、図３に示すように、正面視においてシャワ本体２の中央部分に配置された２つの吐出部１ａ，１ａに一つの吐出用流路１０ａが接続されており、また、正面視においてシャワ本体２の周縁部分に配置された４つの吐出部１ｂ，１ｂ…にもう一つの吐出用流路１０ｂが接続されている。そして、前記レバー１１を切り換え操作することにより、前記供給流路４から前記導入部９に至った湯水が、前記吐出用流路１０ａおよび１０ｂに導出される状態と、吐出用流路１０ａのみまたは１０ｂのみに導出される状態とに切り換えられ、これにより、全て（６つ）の吐出部１ａ，１ａ，１ｂ，１ｂ…から湯水が吐出される状態と、２つの吐出部１ａ，１ａのみまたは４つの吐出部１ｂ，１ｂ…のみから湯水が吐出される状態とに切り換わることとなる。
【００１５】
また、前記シャワ本体２には、前記柱体３を挿通させることができる挿通孔２ａが設けられており、この挿通孔２ａに柱体３を挿通させた状態で、図示しない固定手段を操作することにより、シャワ本体２を柱体３の任意の位置で固定することができるように構成してある。
【００１６】
前記柱体３は、円柱形状をしており、その上端部および下端部にはそれぞれ、柱体３を適宜の場所に取り付けるための取付部１２，１３が設けられている。
【００１７】
前記取付部１２は、左右方向にのびる棒状の本体１２ａと、この本体１２ａの両端に設けられた二つの吸盤部１２ｂ，１２ｂとからなる。
【００１８】
前記取付部１３は、柱体３の下端部に対して、左右方向の軸心まわりに回動可能に一端が取り付けられた本体１３ａと、この本体１３ａの他端に設けられた吸盤部１３ｂとからなる。
【００１９】
そして、前記広範囲対応型シャワＤは、前記吸盤部１２ｂ，１２ｂおよび吸盤部１３ｂの３箇所を固定することにより、任意の場所に設置することができるのである。
【００２０】
前記供給流路４は、可撓性を有する材料からなり、ほぼ螺旋状に形成された配管からなる。
【００２１】
前記供給源５は、壁Ｗに取り付けられた湯水混合栓からなり、詳しくは、前記壁Ｗの背面側に位置する湯配管（図示せず）の導入口に連通する湯側偏心管１４と、前記壁Ｗの背面側に位置する水配管（図示せず）の導入口に連通する水側偏心管１５とを介して壁Ｗに支持され、また、前記湯配管および水配管から供給された湯および水を混合し、混合した湯水をシャワ用湯水取り出し部１６および吐水管用湯水取り出し部１７から択一的に導出するように構成された混合栓本体１８を備えている。
【００２２】
また、前記混合栓本体１８は、前記湯および水を混合する割合を調整するための温度調整用ハンドル１９と、混合した湯水をシャワ用湯水取り出し部１６から導出するシャワ導出状態と吐水管用湯水取り出し部１７から導出する吐水管導出状態とに切り換えるとともに、導出する湯水の流量を調整する流量調整用ハンドル２０とを備えている。
【００２３】
前記シャワ用湯水取り出し部１６は、前記混合栓本体１８の背面側に設けられており、このシャワ用湯水取り出し部１６に上流部が接続される導入路２１の下流部は、前記切換機構６に接続されている。
【００２４】
前記吐水管用湯水取り出し部１７には、吐水管２２が接続されている。
【００２５】
前記切換機構６は、切換ハンドル６ａを有しており、この切換ハンドル６ａを操作することにより、前記導入路２１からの湯水が、前記供給流路４へと送られる全身浴状態と、前記ノーマルタイプのシャワ７へと送られるノーマル状態と、供給流路４およびシャワ７のいずれにも送られない止水状態とに切り換わるように構成されている。
【００２６】
前記ノーマルタイプのシャワ７は、シャワホース７ａとシャワヘッド７ｂとを備えた一般的な構造を有しているものである。
【００２７】
次に、上記の構成からなる広範囲対応型シャワＤの動作について説明する。
まず、前記シャワ本体２の吐出部１，１…から湯水を吐出させるには、前記切換機構６の切換ハンドル６ａを操作して全身浴状態とするとともに、前記供給源５の流量調整用ハンドル２０を操作してシャワ導出状態とするだけでよい。
【００２８】
上記操作により、前記湯側偏心管１４および水側偏心管１５から混合栓本体１８内に導入された湯および水は、混合栓本体１８内で混合された後、シャワ用湯水取り出し部１６および導入路２１を経た後、切換機構６へと至る。そして、切換機構６から前記供給流路４を経てシャワ本体２の導入部９に供給され、この導入部９から全てまたは所定の吐出用流路１０，１０…を通り、最後に、予め前記指定手段８によって指定されていた前記吐出部１，１…から外部へと吐出されることになる。なお、前記シャワ本体２からの湯水の吐出状態は、前記レバー１１を操作することによって自在に切り換えることができる。
【００２９】
また、前記切換機構６の切換ハンドル６ａを切換操作してノーマル状態とすることにより、前記シャワ本体２からの湯水の吐出が止まり、代わりに前記ノーマルタイプのシャワ７から湯水が吐出されることとなる。
【００３０】
上記の構成からなる広範囲対応型シャワＤでは、シャワ本体２を柱体３に対してスライドさせることにより、湯水を吐出する前記吐出部１，１…の位置を容易に変更できるため、使用性の面で向上を図ることが可能となる。
【００３１】
また、前記広範囲対応型シャワＤは、前記ノーマルタイプのシャワ７が前記シャワ用湯水取り出し部１６に接続されている既設の一般的な湯水混合栓を利用して取り付けることができるため、低コストで実現することが可能となる。なお、一般的な前記湯水混合栓では、前記シャワ用湯水取り出し部１６の先端は下方を向いた状態となっていることが多いが、この場合には、前記シャワ用湯水取り出し部１６を回動させてその先端が上方または側方を向く状態とすればよい。
【００３２】
さらに、前記広範囲対応型シャワＤは、前記取付部１２，１３の吸盤部１２ｂ，１３ｂを固定することにより、任意の場所に取り付けることができ、例えば、図１〜３に示すように、前記吸盤部１２ｂ，１２ｂを壁Ｗに取り付けるとともに、前記吸盤部１３ｂを下方に向けて前記供給源５を構成する湯水混合栓の上面に固定してもよく、また、吸盤部１３ｂを供給源５には固定せずに、吸盤部１３ｂを背面側に向けて前記吸盤部１２ｂ，１２ｂと同様に壁Ｗに固定してもよい。
【００３３】
また、前記切換機構６を操作することにより、前記供給源５に対して前記供給流路４が連通する状態とノーマルタイプのシャワ７が連通する状態とに切り換わるようにしてあることから、シャワ本体２から湯水を吐出させての全身浴と、前記ノーマルタイプのシャワ７から湯水を吐出させての通常の使用との使い分け・切り換えを簡単に行うことができ、使用性の面でさらに向上を図ることが可能となる。
【００３４】
また、前記複数の吐出部１，１…のうち湯水の吐出を行わせる吐出部１，１…を指定する指定手段８を設けてあるため、前記シャワ本体２からの湯水の吐出状態にバリエーションをもたせることができ、より使用性の面で向上を図ることが可能となる。
【００３５】
なお、上記実施例では、前記供給流路４をほぼ螺旋状に形成された配管としているが、このような構成に限るものではなく、例えば、蛇腹状の配管としてもよい。
【００３６】
【発明の効果】
上記の構成からなる本発明によれば、使用性の面で向上を図ることができる広範囲対応型シャワを備えた湯水混合栓を提供することができる。
【図面の簡単な説明】
【図１】  本発明の第一実施例に係る広範囲対応型シャワを備えた湯水混合栓の構成を概略的に示す斜視図である。
【図２】  上記実施例の構成を概略的に示す説明図である。
【図３】  上記実施例の構成を概略的に示す部分透視正面図である。
【符号の説明】
１…吐出部、２…シャワ本体、３…柱体、４…供給流路、１２，１３…取付部、１２ａ…棒状の本体、１２ｂ，１２ｂ…吸盤、１３ｂ…吸盤、１３ａ…本体、１８…混合栓本体、Ｗ…壁、Ｄ…広範囲対応型シャワ。
【図１】
0004181338.tif 000002
【図２】
0004181338.tif 000003
【図３】
0004181338.tif 000004